(57)【要約】【課題】便器の後部への汚水の侵入を抑制することができるトイレ装置を提供する。【解決手段】リム部を有するボウル部と、前記ボウル部の後方に設けられた後部と、後方に向かって前記リム部から高くなる側壁部と、を有する便器と、前記リム部の一部及び前記後部の上に設けられ、人体の局部を洗浄する機能部が搭載されるベースプレートと、前記便器と前記ベースプレートとの間に設けられたシール部材と、を備え、上方からみたときに、前記ベースプレートの外縁は、前記便器の外縁の内側に位置し、前記シール部材は、前記ベースプレートの前端部と前記リム部の上面との間、および、前記ベースプレートの側端部と前記側壁部の前記上面との間に配置されたことを特徴とするトイレ装置が提供される。【選択図】図１
2018123632.tif 000002
【特許請求の範囲】
【請求項１】
リム部を有するボウル部と、
前記ボウル部の後方に設けられた後部と、
後方に向かって前記リム部から高くなる側壁部と、
を有する便器と、
前記リム部の一部及び前記後部の上に設けられ、人体の局部を洗浄する機能部が搭載されるベースプレートと、
前記便器と前記ベースプレートとの間に設けられたシール部材と、
を備え、
上方からみたときに、前記ベースプレートの外縁は、前記便器の外縁の内側に位置し、
前記シール部材は、前記ベースプレートの前端部と前記リム部の上面との間、および、前記ベースプレートの側端部と前記側壁部の上面との間に配置されたことを特徴とするトイレ装置。
【請求項２】
前記シール部材は、
前記ベースプレートの前記前端部と前記リム部の前記上面との間に設けられた第１部材と、
前記ベースプレートの前記側端部と前記側壁部の前記上面との間に設けられ、前記第１部材とは別の第２部材と、
を有することを特徴とする請求項１記載のトイレ装置。
【請求項３】
前記シール部材は、前記第１部材と前記第２部材とを接続する接続部材をさらに有することを特徴とする請求項２記載のトイレ装置。
【請求項４】
前記リム部の前記上面は、前記側壁部の前記上面よりも低く、
前記便器は、前記リム部の前記上面と、前記側壁部の前記上面と、を接続する傾斜面をさらに有することを特徴とする請求項１〜３のいずれか１つに記載のトイレ装置。
【発明の詳細な説明】
【技術分野】
【０００１】
本発明の態様は、一般的に、トイレ装置に関する。
【背景技術】
【０００２】
人体の局部洗浄機能などを有する機能部と、便器と、を備えたトイレ装置が知られている。この機能部は、例えば、便器の後部に載置されるケーシングに収納される。特許文献１では、ケーシングと便器との間の隙間から便器の後部へ汚水が侵入しないように、便器のリム上面とケーシングとの間にパッキンが設けられている。
【先行技術文献】
【特許文献】
【０００３】
【特許文献１】特開２０１５−１４１０４号公報
【発明の概要】
【発明が解決しようとする課題】
【０００４】
例えば、トイレ装置の機能やデザイン性などの向上のため、便器の形状やケーシングの形状を変更する場合がある。これに伴い、ケーシングと便器との間の隙間から便器の後部へ汚水が浸入しやすくなってしまうことがあった。  
本発明は、かかる課題の認識に基づいてなされたものであり、便器の後部への汚水の侵入を抑制することができるトイレ装置を提供することを目的とする。
【課題を解決するための手段】
【０００５】
第１の発明は、リム部を有するボウル部と、前記ボウル部の後方に設けられた後部と、後方へ向かって前記リム部から高くなる側壁部と、を有する便器と、前記リム部の一部及び前記後部の上に設けられ、人体の局部を洗浄する機能部が搭載されるベースプレートと、前記便器と前記ベースプレートとの間に設けられたシール部材と、を備え、上方からみたときに、前記ベースプレートの外縁は、前記便器の外縁の内側に位置し、前記シール部材は、前記ベースプレートの前端部と前記リム部の上面との間、および、前記ベースプレートの側端部と前記側壁部の上面との間に配置されたことを特徴とするトイレ装置である。
【０００６】
このトイレ装置によれば、リム部から後方へ向かって高くなる側壁部が設けられ、ベースプレートが便器の後部上に設けられ、上方からみたときにベースプレートの外縁が便器の外縁の内側に位置することにより、ベースプレート上の機能部と便器との一体感が向上し、意匠性を向上させることができる。このようなトイレ装置において、シール部材がベースプレートの前端部及び側端部に配置されることにより、便器の後部への汚水の侵入を抑制することができる。
【０００７】
第２の発明は、第１の発明において、前記シール部材は、前記ベースプレートの前記前端部と前記リム部の前記上面との間に設けられた第１部材と、前記ベースプレートの前記側端部と前記側壁部の前記上面との間に設けられ、前記第１部材とは別の第２部材と、を有することを特徴とするトイレ装置である。
【０００８】
このトイレ装置によれば、ベースプレートの前端部に配置される第１部材と、ベースプレートの側端部に配置される第２部材と、を別に設けることにより、シール部材を取り付ける際の施工性を向上させることができる。
【０００９】
第３の発明は、第２の発明において、前記シール部材は、前記第１部材と前記第２部材とを接続する接続部材をさらに有することを特徴とするトイレ装置である。
【００１０】
このトイレ装置によれば、第１部材と第２部材との間において、便器とベースプレートとの間を接続部材によって埋めることができる。したがって、便器の後部への汚水の侵入をより抑制することができる。
【００１１】
第４の発明は、第１〜第３のいずれか１つの発明において、前記リム部の前記上面は、前記側壁部の前記上面よりも低く、前記便器は、前記リム部の前記上面と、前記側壁部の前記上面と、を接続する傾斜面をさらに有することを特徴とするトイレ装置である。
【００１２】
このトイレ装置によれば、リム部の上面と側壁部の上面とを接続する傾斜面を設けることにより、シール部材を便器の形状に倣わせやすくなる。これにより、ベースプレートと便器との間の隙間の発生を抑制することができ、汚水の侵入をより抑制することができる。
【発明の効果】
【００１３】
本実施形態によれば、便器の後部への汚水の侵入を抑制することができるトイレ装置を提供することができる。
【図面の簡単な説明】
【００１４】
【図１】図１（ａ）〜図１（ｃ）は、実施形態に係るトイレ装置を表す斜視図である。
【図２】実施形態に係るトイレ装置の便器を例示する斜視図である。
【図３】実施形態に係るトイレ装置の便器の断面を例示する断面図である。
【図４】実施形態に係るトイレ装置の一部を例示する断面図である。
【図５】実施形態に係るトイレ装置の一部を例示する平面図である。
【図６】実施形態に係るトイレ装置のベースプレートを例示する斜視図である。
【図７】実施形態に係るトイレ装置の一部を例示する平面図である。
【図８】実施形態に係るトイレ装置の一部の断面を例示する斜視図である。
【図９】図９（ａ）及び図９（ｂ）は、実施形態に係るトイレ装置のシール部材を例示する断面図である。
【発明を実施するための形態】
【００１５】
以下、本発明の実施の形態について図面を参照しつつ説明する。なお、各図面中、同様の構成要素には同一の符号を付して詳細な説明は適宜省略する。  
また、本願明細書においては、発明の説明のために「上方」、「下方」、「前方」、「後方」、「左側方」、および「右側方」を用いるが、これらは、後述する便座１０に着座した使用者からみた場合を基準とするものである。
【００１６】
図１（ａ）〜図１（ｃ）は、実施形態に係るトイレ装置を表す斜視図である。  
実施形態に係るトイレ装置１００は、便座１０と、便蓋２０と、洋式腰掛便器（以下説明の便宜上、単に「便器」と称する）３０と、を有する。
【００１７】
図１（ａ）は、便座１０を下げ、便蓋２０を閉めたときの様子を表している。図１（ｂ）は、便座１０を下げ、便蓋２０を開けたときの様子を表している。図１（ｃ）は、便座１０を上げ、便蓋２０を開けたときの様子を表している。
【００１８】
便座１０の後端は、第１軸支部１５によって便器３０に軸支され、便蓋２０の後端は、第２軸支部２５によって便器３０に軸支されている。第１軸支部１５および第２軸支部２５を介して便座１０および便蓋２０が便器１に対して回動することで、便座１０の上下動作および便蓋２０の開閉動作が行われる。
【００１９】
まず、図２及び図３を参照して、便器３０の構成について説明する。  
図２は、実施形態に係るトイレ装置の便器を例示する斜視図である。  
図３は、実施形態に係るトイレ装置の便器の断面を例示する断面図である。  
図２及び図３に示すように、便器３０は、ボウル部３１と、後部３２と、側壁部３３（右側壁部３３ａ及び左側壁部３３ｂ）と、を有する。
【００２０】
ボウル部３１は、使用者の尿や便などの排泄物を受けるボウル面３１ａと、ボウル部の３１の上部を形成するリム部３１ｂと、を有する。
【００２１】
後部３２は、ボウル部３１の後方に設けられ、内部に空間３２ａを有する。  
側壁部３３は、便器３０の右側面及び左側面を形成する側部であり、ボウル部３１の前後方向における中央付近から後部３２の側方まで延びている。
【００２２】
側壁部３３の上面３３Ｕは、後方へ向かって上る斜面となっている。すなわち、側壁部３３の高さ（上面３３Ｕの位置）は、後方へ向かって次第に高くなる。また、側壁部３３の上面３３Ｕは、リム部３１ｂの上面３１Ｕよりも高い。言い換えれば、便器３０の側部は、後方へ向かってリム部３１ｂから高くなる迫り上がり形状である。
【００２３】
なお、以下の説明において、図２に示すように、リム部３１ｂの上面３１Ｕのうち、後方に位置する部分をリム後方上面３１ｕと呼ぶ。
【００２４】
また、図２に示すように、便器３０は、リム部３１ｂの上面３１Ｕと、側壁部３３の上面３３Ｕと、を接続する傾斜面３４（右傾斜面３４ａ及び左傾斜面３４ｂ）を有する。より具体的には、右傾斜面３４ａは、リム後方上面３１ｕと、右側壁部３３ａの上面と、を接続する。また、左傾斜面３４ｂは、リム後方上面３１ｕと、左側壁部３３ｂの上面と、を接続する。
【００２５】
次に実施形態に係るトイレ装置１００の構成について説明する。  
図４は、実施形態に係るトイレ装置の一部を例示する断面図である。図４では便蓋２０が開けられた状態が表されている。  
図４に示すように、トイレ装置１００は、ベースプレート４１、カバープレート４２及び機能部４３を有する。
【００２６】
ベースプレート４１は、便器３０の後部３２の上、及び、リム部３１ｂの一部（リム後方上面３１ｕ）の上、に設けられる。ベースプレート４１は、便器３０の後部３２に対して、固定部３６などを介して固定される。固定部３６やベースプレート４１の固定には、ボルトなど任意の手段を用いることができる。
【００２７】
機能部４３は、ベースプレート４１上に搭載され、人体の局部（例えば「おしり」など）を洗浄する局部洗浄機能や、人体局部を乾燥させる乾燥機能を有する。例えば、機能部４３は、洗浄水を吐出するノズルや、温風ヒータ、使用者を検知する電波センサなどを有する。この他に、ベースプレート４１上には、ノズルへ供給される水を加熱する熱交換器や、ノズル、温風ヒータ、電波センサなどの動作を制御する制御部などが搭載される。
【００２８】
カバープレート４２は、ベースプレート４１の上に設けられ、ベースプレート４１上に搭載された機能部４３を上方から覆う。カバープレート４２は、便座１０が下げられた状態において、便座１０によって上方から覆われている。
【００２９】
第１軸支部１５及び第２軸支部２５は、ベースプレート４１及びカバープレート４２の後方に設けられる。このため、便座１０の後端は、便座１０が下げられた状態において下方に向けて湾曲しており、カバープレート４２の後方に回り込んで第１軸支部１５と連結されている。また、第２軸支部２５は、第１軸支部１５の後方に設けられ、第１軸支部１５よりも下方に位置している。このため、便蓋２０の後端は、便蓋２０が閉められた状態において下方に向けて湾曲しており、カバープレート４２および第１軸支部１５の後方に回り込んで第２軸支部２５と連結されている。
【００３０】
図５は、実施形態に係るトイレ装置の一部を例示する平面図である。  
図５では、便座１０が下げられた状態のトイレ装置を上方から見た様子を示す。また、便蓋２０の図示を省略している。  
図５に示すように、便座１０が下げられた状態において、便座１０は、ベースプレート４１及びカバープレート４２の略全体を覆っている。換言すると、便座１０が下げられた状態において、ベースプレート４１及びカバープレート４２は、便座１０を下方に投影させた投影範囲内に設けられている。また、図１（ａ）に表したように、便蓋２０が閉められた状態では、便座１０は、便蓋２０によって上方から覆われている。
【００３１】
また、便座１０が下げられた状態において、便座１０は、便器３０よりも前後左右に突出しないように設けられている。すなわち、便座１０が下げられた状態において、図５に表したように、上方から見たときに、便座１０の外縁は、便器３０の外縁と同じかそれよりも内側に位置する。換言すると、便座１０は、便座１０が下げられた状態において、便器３０を上方に投影させた範囲内に位置している。
【００３２】
このように、便器３０の後部３２に配置されたベースプレート４１及びカバープレート４２の略全体を便座１０が覆い、かつ、便座１０が便器３０から前後左右に突出しないようにすることにより、便器３０と機能部４３や便座１０との一体感を演出することができ、意匠性を向上させることができる。
【００３３】
図６は、実施形態に係るトイレ装置のベースプレートを例示する斜視図である。  
図６に示すように、ベースプレート４１は、底部４４と、側面部４５と、フランジ部（側端部）４６と、を有する。
【００３４】
底部４４は、水平方向に沿って広がる平板状である。この底部４４の上に、前述した機能部４３が載置される。また、底部４４の前端部４４ｆは、便器３０のリム部３１ｂの形状に合わせて湾曲している。
【００３５】
側面部４５（右側面部４５ａ及び左側面部４５ｂ）は、底部４４の左右両端から上方に立設されている。フランジ部４６（右フランジ部４６ａ及び左フランジ部４６ｂ）は、側面部４５の上端に設けられる。右フランジ部４６ａは、右側面部４５ａから右側方へ延びた鍔状であり、左フランジ部４６ｂは、左側面部４５ｂから左側方へ延びた鍔状である。
【００３６】
図７は、実施形態に係るトイレ装置の一部を例示する平面図である。  
図７では、便座１０、便蓋２０、第１軸支部１５及び第２軸支部２５などの図示を省略している。  
ベースプレート４１の前端部４４ｆは、リム後方上面３１ｕの上に配置される（図４も参照）。また、フランジ部４６は、便器３０の側壁部３３の上面３３Ｕの上に配置される。このため、ベースプレート４１の底部４４は、便器３０の側壁部３３の上面３３Ｕよりも低い位置に位置する。すなわち、実施形態においては、便器３０の側壁部３３が、ベースプレート４１及び機能部４３を左右から囲うように設けられている。
【００３７】
また、図７のように上方から見たときに、ベースプレート４１の外縁４１ｒは、便器３０の外縁３０ｒの内側に位置する。すなわち、ベースプレート４１のフランジ部４６は、便器３０の上面３３Ｕから外側へ突出しないように設けられている。
【００３８】
以上のようにベースプレート４１を便器３０に対して配置することにより、図４及び図５に関して説明したように、便座１０がベースプレート４１及びカバープレート４２の略全体を覆い、且つ、便座１０が便器３０から前後左右に突出しないようにすることができ、意匠性を向上させることができる。
【００３９】
しかしながら、この場合には、便器３０とベースプレート４１との間の隙間から便器の後部３２（空間３２ａ）へ汚水（例えば使用者の尿など）が浸入しやすくなってしまうおそれがある。例えば、フランジ部４６と、側壁部３３と、の間に隙間があると、汚水が浸入する。
【００４０】
これに対して、実施形態に係るトイレ装置１００は、便器３０とベースプレート４１との間に設けられたシール部材（パッキン）５０を有する。シール部材５０は、便器３０とベースプレート４１との間の隙間を塞ぐ。シール部材５０には、例えばゴム又は樹脂を用いることができる。
【００４１】
シール部材５０は、第１部材５１と、第２部材５２と、を有する。第１部材５１は、ベースプレート４１の前端部４４ｆと、リム部３１ｂの上面（リム後方上面３１ｕ）と、の間に設けられる。第１部材５１は、リム部３１ｂの形状に沿って設けられた湾曲部と、この湾曲部から左右に延びる端部（両端部）と、を有する。第２部材５２（右側部材５２ａ及び左側部材５２ｂ）は、ベースプレート４１のフランジ部（側端部）４６と、リム部３１ｂの上面（リム後方上面３１ｕ）と、の間に設けられる。例えば、第２部材５２は、第１部材５１とは別に設けられた部材であり、第１部材５１と離間する。
【００４２】
このように、ベースプレート４１の前方（前端部４４ｆ）だけでなく、ベースプレート４１の側方（フランジ部４６）にもシール部材５０を配置することにより、便器３０の後部３２への汚水の侵入を抑制することができる。
【００４３】
シール部材をベースプレートの前方及び側方に配置する場合には、シール部材の形状が従来に比べて複雑になりやすい。このため、シール部材を取り付ける際の手間が増え、施工性が低いおそれがある。また、シール部材の製造コストが高くなる場合もある。これに対して、実施形態のように、シール部材５０を、ベースプレート４１の前方に配置される第１部材５１と、ベースプレート４１の側方に配置される第２部材５２と、に分けることにより、施工性を向上させることができる。
【００４４】
なお、第２部材５２よりも後側においては、便器３０と便座１０との間にパッキンなどのシール部材（不図示）が設けられる。
【００４５】
図８は、実施形態に係るトイレ装置の一部の断面を例示する斜視図である。  
図８は、図７に示すＡ−Ａ’線における断面を表している。  
図８に表すように、第１部材５１は、リム部３１ｂのリム後方上面３１ｕと、ベースプレート４１の前端部４４ｆの下面と、によって上下から挟まれ潰されている。また、第１部材５１の端部は、便器３０の傾斜面３４の上まで延びている。
【００４６】
第２部材５２は、便器３０の側壁部３３の上面３３Ｕと、ベースプレート４１のフランジ部４６の下面と、によって上下から挟まれ潰されている。また、図８のように、第２部材５２の一部が傾斜面３４の上に位置してもよい。
【００４７】
リム後方上面３１ｕは、側壁部３３の上面３３Ｕのよりも低い。つまり、リム後方上面３１ｕと側壁部３３の上面３３Ｕとの間には段差が設けられている。このような場合、シール部材を段差の形状に倣わせることが難しくなり、密着性が低下し、汚水が浸入しやすくなるおそれがある。これに対して、実施形態においては、リム後方上面３１ｕと、側壁部３３の上面３３Ｕと、を接続する傾斜面３４を設け、傾斜面３４の上にシール部材５０を設ける。これにより、シール部材５０を傾斜面３４の形状に倣わせやすいため、隙間の発生を抑制することができる。すなわち、汚水の侵入をより抑制することができる。
【００４８】
また、シール部材５０は、第１部材５１と、第２部材５２と、を接続する接続部材５３をさらに有する。接続部材５３（右接続部材５３ａ及び左接続部材５３ｂ）は、傾斜面３４の上に位置する。接続部材５３は、第１、第２部材５１、５２の間において、便器３０とベースプレート４１との間の隙間を埋める。これにより、汚水の侵入をより抑制することができる。なお、接続部材５３には、例えば、樹脂等を含む防水性のシーラント、シーリング剤、コーキング剤などを用いることができる。
【００４９】
図９（ａ）及び図９（ｂ）は、実施形態に係るトイレ装置のシール部材を例示する断面図である。  
図９（ａ）は、便器３０及びベースプレート４１によって潰される前の第１部材５１の形状を示す。この断面は、図７に示すＢ−Ｂ’線における断面に対応する。  
図９（ａ）に示すように、第１部材５１は、上側部５１ａと、湾曲した下側部５１ｂと、を有する。上側部５１ａと下側部５１ｂとは、前方で互いに接続されている。
【００５０】
図９（ｂ）は、便器３０及びベースプレート４１によって潰される前の第２部材５２の形状を示す。この断面は、図７に示すＣ−Ｃ’線における断面に対応する。図９（ｂ）に示すように、第２部材５２は、中空の環状である。
【００５１】
このように、便器３０の形状に合わせて、第１部材５１及び第２部材５２の断面形状を異ならせることによって、シール性を向上させたり、製造コストを抑えたりすることができる。例えば、図９（ａ）に表したような断面形状の場合は、第１部材５１のように湾曲した平面形状を有するシール部材を成型しやすい。図９（ｂ）に表したような断面形状の場合は、図９（ａ）の場合に比べて製造コストを抑えることができる。
【００５２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１００が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５３】
１０ 便座、  １５ 第１軸支部、  ２０ 便蓋、  ２５ 第２軸支部、  ３０ 便器、  ３０ｒ 外縁、  ３１ ボウル部、  ３１Ｕ 上面、  ３１ａ ボウル面、  ３１ｂ リム部、  ３１ｕ リム後方上面、  ３２ 後部、  ３２ａ 空間、  ３３ 側壁部、  ３３Ｕ 上面、  ３４ 傾斜面、  ３６ 固定部、  ４１ ベースプレート、  ４１ｒ 外縁、  ４２ カバープレート、  ４３ 機能部、  ４４ 底部、  ４４ｆ 前端部、  ４５ 側面部、  ４６ フランジ部（側端部）、  ５０ シール部材、  ５１ 第１部材、  ５２ 第２部材、  ５３ 接続部材、  １００ トイレ装置
【図１】
2018123632.tif 000003
【図２】
2018123632.tif 000004
【図３】
2018123632.tif 000005
【図４】
2018123632.tif 000006
【図５】
2018123632.tif 000007
【図６】
2018123632.tif 000008
【図７】
2018123632.tif 000009
【図８】
2018123632.tif 000010
【図９】
2018123632.tif 000011